(57)【要約】  リアプロジェクションディスプレイ用薄型ミラー調節システムが説明されている。ミラー調節システムは、１つ以上の調節ねじ及び１つ以上のスプリングクリップを含んでいる。調節ねじ及びスプリングクリップは、サポートブラケットと一体となり働き、必要に応じて、ミラー角度の微調節を可能にする。
2007503620.tif 000002
【特許請求の範囲】
【請求項１】
リアプロジェクションディスプレイ用ミラー調節システムであって、
ミラーと、
ミラーサポートブラケットにミラーを取り付けるための１つ以上の調節ねじと、
ミラーに取り付けられている一つ以上のスプリングクリップであり、
前記１つ以上の調節ねじ及び当該１つ以上のスプリングクリップが、サポートブラケットに相対的にミラーの角度を調節するために、一体となって働くスプリングクリップと、
を含むミラー調節システム。
【請求項２】
前記１つ以上の調節ねじが、金属及びプラスチックを含む群から選ばれた材料によって構成される請求項１記載のミラー調節システム。
【請求項３】
前記１つ以上のスプリングクリップが、金属及びプラスチックを含む群から選ばれた材料によって構成される請求項１記載のミラー調節システム。
【請求項４】
前記１つ以上のスプリングクリップがバネ鋼によって構成されている請求項３記載のミラー調節システム。
【請求項５】
ミラー調節システムを有するプロジェクションディスプレイであって、
ミラーと、
ミラーサポートブラケットに前記ミラーを取り付けるための１つ以上の調節ねじと、  ミラーに取り付けられている一つ以上のスプリングクリップであり、
前記１つ以上の調節ねじ及び当該１つ以上のスプリングクリップが、サポートブラケットに相対的にミラーの角度を調節するために、一体となって働くこと、
とを含むプロジェクションディスプレイ。
【請求項６】
前記１つ以上の調節ねじが、金属及びプラスチックを含む群から選ばれた材料によって構成される請求項５記載のプロジェクションディスプレイ。
【請求項７】
前記１つ以上のスプリングクリップが、金属及びプラスチックを含む群から選ばれた材料によって構成される請求項５記載のプロジェクションディスプレイ。
【請求項８】
前記１つ以上のスプリングクリップがバネ鋼によって構成されている請求項７記載のプロジェクションディスプレイ。
【発明の詳細な説明】
【技術分野】
【０００１】
本発明はディスプレイ、特にリアプロジェクションディスプレイに関する。
【背景技術】
【０００２】
リアプロジェクションディスプレイの大部分は、ディスプレイの後ろにミラーが取り付けられている。ミラーの配置は、プロジェクションディスプレイの性能にとって非常に重要な意味を有する。通常、良いミラー配置を得るために、ミラー角度の微調節が行われる。
【０００３】
ミラーを調節するための一つの技法は、多角的な軸にミラーを独立して調節することのできるジンバル機構を使用することである。しかしながら、このジンバル機構は高価であり、一端調節した後、セットした場所に維持するのが困難である。
【０００４】
ミラーを調節するためのもう一つの技法は、ミラーの両側に止めナットの付いた独立したねじを使用することである。止めナットが一端セットした調節を保つ役割を果たす。残念ながら、この調節方法は、時間がかかり、工場で実施するのが困難である。
【０００５】
ミラーを調節するためのさらなる技法は、くさびを使用することである。しかしながら、ミラーが位置してからくさびを付けるため、この調節方法を予測するのは困難である。さらに、調節の結果は、使用されるくさびの薄さ程度でしかない。
【発明の開示】
【発明が解決しようとする課題】
【０００６】
よって、リアプロジェクションディスプレイのための、費用のかからないミラー調節機構が必要である。
【課題を解決するための手段】
【０００７】
本発明は、リアプロジェクションディスプレイ用薄型ミラー調節システムである。ミラー調節システムは、１つ以上の調節ねじ及び１つ以上のスプリングクリップを有する。調節ねじ及びスプリングクリップは、サポートブラケットと一体となり働き、必要に応じて、ミラー角度の微調節を可能にする。
【発明を実施するための最良の形態】
【０００８】
添付の図面を参照しながら、以下に本発明を説明する。
【０００９】
図１に関して、リアプロジェクションディスプレイ１００は、上部２２、底部２４、前部２６及び後部２８を含んでいる。そして、リアプロジェクションディスプレイ１００は、内部壁３０によって２つの区画に分けられている。すなわち、上部区画３４及び下部区画３２である。光エンジン１２、プロジェクションレンズ１６、及びプリント配線基板（ＰＷＢｓ）３６が、下部区画３２に取り付けられている。一方、ミラーＭ及びスクリーンSが上部区画３４に取り付けられている。上部区画３４は、通常、上部区画３４内部を埃やその他異物から守るため、下部区画３２から密封されている。
【００１０】
本発明は、プロジェクションディスプレイ１００のミラーＭのための薄型ミラー調節システム１１０である。ミラー調節システム１１０は、図２に示されており、１つ以上の調節ねじ１１６及び１つ以上のスプリングクリップ１１５を含んでいる。調節ねじ１１６及びスプリングクリップ１１５はサポートブラケット１２０と一体となって働き、必要に応じて、ミラー１１２の角度の微調整を可能にする。
【００１１】
スプリングクリップ１１５は金属、例えばスプリング（スチール）、又はプラスチックによって構成されているべきである。調節ねじ１１６は、金属又はプラスチックから構成されていてもよく、如何なる適切な方法、例えば、特に、シート金属成形、ロール成形、及びダイカスト成形によって成形されてもよい。
【００１２】
図２及び３に関して、３つの調節ねじ１１６及びスプリングクリップ１１５はミラーサポートブラケット１２０と一体となって働き、必要に応じて、ミラー１１２の角度の微調整を可能にする。スプリングクリップ１１５は、ミラー１１２の後ろに取り付けられており、ミラー１１２をサポートブラケット１２０に直接取り付けるのに使用される。各スプリングクリップ１１５は、サポートブラケット１２０上の、対応する調節ねじの位置においてミラー１１２に取り付けられている。調節ねじはサポートブラケット１２０に座着する細部を有しており、調節ねじがセットされた後、動くことを防ぐ。調節された後、調節ねじ１１６は、サポートブラケット１２０に相対的にミラー１１２及びスプリングクリップ１１５の両方を動かす。ミラー１１２に取り付けられたスプリングクリップ１１５によって生成される力は、調節ねじが動かされたときに小さな曲げモーメントがミラー１１２に付加されるように配置される。このようにして、ミラーはサポートブラケット１２０に安全に固定される。
【００１３】
上記は、本発明を実施するためのいくつかの可能性について示している。発明の範囲内で、その他多くの実施例が可能である。よって、上記の説明は、実施例であり、限定するものではない。そして、本発明の範囲は、添付の請求項及びあらゆる同等のものと併せて与えられている。
【発明の詳細な説明】
【００１４】
［関連出願の相互参照］
本出願は２００３年８月２６日に出願された米国仮出願Ｎｏ．６０／４９８，２５７「リアプロジェクションディスプレイ用薄型ミラー調節システム」の利益を請求する。前記仮出願の全体が本出願に関する参照として本明細書に組み込まれる。
【図面の簡単な説明】
【００１５】
【図１】プロジェクションディスプレイの側面を示している。
【図２】本発明の薄型ミラー調節システムの一つの実施例の側面を示している。
【図３】図１に示している薄型ミラー調節システムの組み立てた側面を示している。
【図１】
2007503620.tif 000003
【図２】
2007503620.tif 000004
【図３】
2007503620.tif 000005
【国際調査報告】
2007503620.tif 000006